(57)【特許請求の範囲】
【請求項１】
複数のモータと、前記複数のモータを覆う耐磁板とを備え、
前記耐磁板は、前記モータよりも前記耐磁板に作用する磁界の磁気的に最も弱い向きの上流側の部分に、磁束の通る経路の断面積が小さい狭窄部が形成され、
前記狭窄部は、前記複数のモータのうち耐磁性能が要求される優先度の高い順序に対応して形成されている電子時計のムーブメント。
【請求項２】
前記耐磁板は、前記モータの変換器の周囲に別の狭窄部が形成されている請求項１に記載の電子時計のムーブメント。
【請求項３】
前記狭窄部は、前記モータのステータの２つのスリットを結んだ向きに略直交する向きの磁界の、前記モータに対する上流側の部分に形成されている請求項１又は２に記載の電子時計のムーブメント。
【請求項４】
前記耐磁板が複数のモータを覆うものであり、
少なくとも１個の前記モータが、前記耐磁板の長手方向と直交する方向に配置されている請求項１から３のうちいずれか１項に記載の電子時計のムーブメント。
【請求項５】
前記モータの少なくとも１つは前記耐磁板の長手方向と直交する方向に配置され、
前記耐磁板の長手方向と直交する方向に配置されたモータは、秒針を駆動するためのモータである請求項１から４のうちいずれか１項に記載の電子時計のムーブメント。
【請求項６】
前記狭窄部は、前記耐磁板の幅が他の部分よりも狭くなって形成されている請求項１から５のうちいずれか１項に記載の電子時計のムーブメント。
【請求項７】
前記狭窄部は、前記耐磁板の厚さが他の部分よりも薄くなって形成されている請求項１から６のうちいずれか１項に記載の電子時計のムーブメント。
【請求項８】
請求項１から７のうちいずれか１項に記載の電子時計のムーブメントと、
前記ムーブメントを収容するケースと、を備えた電子時計。
【発明の詳細な説明】
【技術分野】
【０００１】
本発明は、電子時計のムーブメント及び電子時計に関する。
【背景技術】
【０００２】
モータにより指針を駆動する電子時計は、外部磁場からモータを保護するための耐磁板をムーブメントに備えている。
耐磁板は、一般に、モータを厚さ方向の上下から覆うように形成されている（例えば、特許文献１参照）。従来、耐磁板は、モータを広く覆うことでモータに対する耐磁性能を高めている。
【先行技術文献】
【特許文献】
【０００３】
【特許文献１】特開２００７−２３２６８０号公報
【発明の概要】
【発明が解決しようとする課題】
【０００４】
しかし、単に大きな耐磁板を配置しただけでは、その分のスペースを確保するために、電子時計自体のサイズが大きくなったり、電子時計自体の厚さが厚くなったりするという問題がある。機能の多い電子時計の場合は、ムーブメント内に大きな耐磁板を配置することができないことも起こり得る。
本発明は上記事情に鑑みなされたものであって、耐磁板を大きくしたり厚くしたりすることなく、モータに対する耐磁性能を向上させることができる電子時計のムーブメント及び電子時計を提供することを目的とする。
【課題を解決するための手段】
【０００５】
本発明の第１は、モータと、前記モータを覆う耐磁板とを備え、前記耐磁板は、前記モータよりも前記耐磁板に作用する磁界の上流側の部分に狭窄部が形成されている電子時計のムーブメントである。
本発明の第２は、本発明の電子時計のムーブメントと、前記ムーブメントを収容するケースと、を備えた電子時計である。
【発明の効果】
【０００６】
本発明に係る電子時計のムーブメント及び電子時計によれば、耐磁板を大きくしたり厚くしたりすることなく、モータに対する耐磁性能を向上させることができる。
【図面の簡単な説明】
【０００７】
【図１】本発明に係る電子時計の一実施形態である電波修正時計を示す部分透視図である。
【図２】図１に示したムーブメントの一部を分解して表した分解斜視図である。
【図３】２つの耐磁板とモータとの平面視での位置関係を示す、図１相当の平面図である。
【図４】図３に示した上側の耐磁板の単体を示す平面図である。
【図５】図３に示した下側の耐磁板の単体を示す平面図である。
【図６】図３に示した秒針モータの詳細を示す図である。
【図７】図４に示した耐磁板に対して、切欠きが無い二点鎖線で示した外形形状で、かつ、耐磁板における切欠きに対応する部分の厚さが、他の部分よりも薄く形成された耐磁板を示す図であり、（Ａ）は図４相当の平面図、（Ｂ）は（Ａ）におけるＡ−Ａ線に沿った断面を示す断面図である。
【発明を実施するための形態】
【０００８】
以下、本発明に係る電子時計のムーブメント及び電子時計の実施形態について、図面を用いて説明する。
【０００９】
＜電波修正時計の構成＞
図１は、本発明に係る電子時計の一実施形態である電波修正時計１を示し、裏蓋側から、二点鎖線で表したケース２を仮想的に透過して実線で表したムーブメント３が見えている状態を表す部分透視図である。図１の上方は１２時方向、左方は３時方向である。図２は、図１に示したムーブメント３の一部を分解して表した分解斜視図である。
【００１０】
電波修正時計１は、金属製のケース２の内部にムーブメント３が収容されている。
電波修正時計１は、電波を受信し、受信した電波に基づいてムーブメント３が時刻用の指針を自動的に修正する機能を有する。また、電波修正時計１は、太陽電池パネル及び二次電池を備えていて、太陽電池パネルで発電された電力によって、ムーブメント３を駆動している。
【００１１】
＜ムーブメントの構成＞
ムーブメント３は、本発明に係る電子時計のムーブメントの一実施形態である。ムーブメント３は、地板５と、図示を省略した輪列と、輪列受け６と、回路基板７と、回路押さえ板８と、２つの耐磁板２１，２２と、電波受信用のアンテナ１０（図１参照）と、４つのステップモータである秒針モータ１１と、デュアル分時針モータ１２と、分時針モータ１５と、機能針モータ１６と、を備えている。
なお、ムーブメント３は、上述した構成の他に、手動で時刻表示用の指針を修正するための機構や、アラーム用ブザー、二次電池、その他の機構等も備えているが、本実施形態の電波修正時計１の説明上必須ではないため説明を省略する。
【００１２】
秒針モータ１１は、コイル（変換器）１１ａ、ステータ１１ｂ及びロータ１１ｃを備えている。秒針モータ１１のロータ１１ｃは、秒針を駆動する輪列に連結されている。
デュアル分時針モータ１２は、コイル１２ａ、ステータ１２ｂ及びロータ１２ｃを備えている。デュアル分時針モータ１２のロータ１２ｃは、小文字板用の分針及び時針を駆動する輪列に連結されている。
【００１３】
分時針モータ１５は、２つのコイル１３ａ，１４ａ、ステータ１５ｂ及びロータ１５ｃを備えている。分時針モータ１５のロータ１５ｃは、分針及び時針を駆動する輪列に連結されている。分時針モータ１５が２つのコイル１３ａ，１４ａを備えているのは、正回転方向への回転速度と逆回転方向への回転速度を等しくするためである。
【００１４】
すなわち、分針と時針は連動しているが、時差の修正のためには、時刻を進める方向（正回転方向）に分針及び時針を回転させる場合と、時刻を戻す方向（逆回転方向）に分針及び時針を回転させる場合がある。正回転方向と逆回転方向とで回転速度を等しくすることで、時刻を進めて修正する場合と時刻を戻して修正する場合とで、修正の際の分針及び時針の回転速度に差が生じないようにすることができる。
【００１５】
機能針モータ１６は、コイル１６ａ、ステータ１６ｂ及びロータ１６ｃを備えている。機能針モータ１６のロータ１６ｃは、小文字板用の機能針を駆動する輪列に連結されている。機能針は、例えば太陽電池パネルによって発電され、二次電池に充電されている電力の充電量を指示する指針や、曜日を指示する指針などである。なお、充電量を指示する指針と曜日を指示する指針とは、それぞれ独立した指針であってもよいし、１つの指針で兼用したものであってもよい。
【００１６】
秒針モータ１１、デュアル分時針モータ１２、分時針モータ１５及び機能針モータ１６は、回路基板７に接合されている。回路基板７は、秒針モータ１１、デュアル分時針モータ１２、分時針モータ１５及び機能針モータ１６の制御や、電波受信及び受信した電波に基づく指針の修正の制御、太陽電池パネルで発電された電力を二次電池に充電し、二次電池からの電力を供給する制御等を行う電子回路が形成されている。なお、この電子回路自体は、二次電池から供給された電力によって駆動している。
【００１７】
回路基板７の電子回路による制御で、秒針モータ１１は１秒間に１回の頻度で駆動され、デュアル分時針モータ１２は１分間に１回の頻度で駆動され、分時針モータ１５は１０秒間に１回の頻度で駆動され、機能針モータ１６はその機能に対応した状態（充電量、曜日等）の表示を行う操作が入力されたときにのみ駆動される。
【００１８】
このような駆動頻度により、４つのモータ１１，１２，１５，１６は、駆動頻度の高い順、すなわち保磁力が低い順に、秒針モータ１１、分時針モータ１５、デュアル分時針モータ１２、機能針モータ１６となる。保磁力が低いモータほど、耐磁性能が要求されるため、秒針モータ１１、分時針モータ１５、デュアル分時針モータ１２、機能針モータ１６の順に、耐磁性能が要求される優先度が高い。
【００１９】
輪列は、地板５と輪列受け６とによって挟まれて支持され、対応するいずれかのモータ１１，１２，１５，１６の駆動により回転して、秒針、分針、時針又は機能針を駆動する。
回路押さえ板８は、導電性の金属板で形成されていて、一部が回路基板７の電子回路におけるグランド（ＧＮＤ）のラインに接続され、他の一部がケース２に接続される。これにより、回路押さえ板８は、電子回路のグランドのラインをケース２に電気的に導通させている。
アンテナ１０は、時刻表示用の指針を正しい位置に合わせるための時刻情報を含む電波（例えば、ＧＰＳ衛星から発信された、時刻情報を含むＧＰＳ信号）を受信する。
【００２０】
図３は、ムーブメント３における２つの耐磁板２１，２２と、モータ１１，１２，１５，１６との平面視での位置関係を示す、図１相当の平面図である。２つの耐磁板２１，２２は、特にロータ１１ｃ，１２ｃ，１５ｃ，１６ｃを、電波修正時計１の厚さ方向に挟むように、裏蓋側からと地板５の裏側からとでロータ１１ｃ，１２ｃ，１５ｃ，１６ｃを覆う。各耐磁板２１，２２は、ロータ１１ｃ，１２ｃ，１５ｃ，１６ｃを覆うことで、外部磁場がロータ１１ｃ，１２ｃ，１５ｃ，１６ｃに与える影響を抑制している。
【００２１】
図４は、図３に示した上側の耐磁板２１の単体を示す平面図、図５は、図３に示した下側の耐磁板２２の単体を示す平面図である。
耐磁板２１は、図４に示すように、秒針モータ１１のコイル１１ａに干渉するのを防止するための逃げ孔２１ａや、各モータ１１，１２，１５，１６を支持等する孔２１ｂが多数形成されている。耐磁板２２も、図５に示すように、各モータ１１，１２，１５，１６を支持等する孔２２ｂが多数形成されている。
【００２２】
図６は、図３に示した秒針モータ１１の詳細を示す図である。図６に示すように、コイルに通電していない状態では、秒針モータ１１のロータ１１ｃは、所定の位置で安定して停止している。この停止しているロータ１１ｃは、ステータ１１ｂの２つのスリット１１ｓ，１１ｓを結ぶ向きＬに直交する向きＭに磁束が沿う磁界Ｊに対して、磁気的に最も弱い。
このような磁気的に弱い向きは、他のモータ１２，１５，１６にもそれぞれある。
なお、本実施形態におけるステータ１１ｂのスリット１１ｓは、空隙により形成されたものであるが、空隙を非磁性体で埋めることによりステータ１１ｂを一体化してもよい。
【００２３】
ここで、耐磁板２１は、図４に示すように、コイル１１ａの逃げ孔２１ａの存在により、秒針モータ１１に対して磁気的に最も弱い磁界Ｊの向きＭに関して、幅の狭い狭窄部２１ｃ（別の狭窄部の一例）を有している。この狭窄部２１ｃは、図３に示すように秒針モータ１１のコイル１１ａの周囲に形成された狭窄部に相当する。
【００２４】
耐磁板は、一般的には外形形状が大きいほど耐磁性能が向上する。したがって、耐磁板２１も、図４に示すように、例えば下部左側の部分が二点鎖線で示すように、切欠き２１ｄの無い外形形状が採用されるのが一般的と考えられる。
しかし、本実施形態における耐磁板２１においては、耐磁板２１の図示下部左側の部分に、実線で示すような切欠き２１ｄが形成されている。
【００２５】
この切欠き２１ｄにより、耐磁板２１に形成されている孔２１ｂとの間の部分は、秒針モータ１１に対して磁気的に最も弱い磁界Ｊの向きＭに関して、他の部分よりも幅の狭い狭窄部２１ｅとなる。しかも、この狭窄部２１ｅは、秒針モータ１１のロータ１１ｃよりも磁界Ｊの向きＭに関して上流側の位置となる。また、この狭窄部２１ｅは、狭窄部２１ｃに対しても磁界Ｊの向きＭに関して上流側となる。
【００２６】
図５に示した耐磁板２２にも、耐磁板２１の切欠き２１ｄと平面視で重なる部分（図３参照）に切欠き２２ｄが形成されている。そして、この耐磁板２２も、切欠き２２ｄと孔２２ｂとの間の部分は、秒針モータ１１に対して磁気的に最も弱い磁界Ｊの向きＭに関して、他の部分よりも幅の狭い狭窄部２２ｅとなる。しかも、この狭窄部２２ｅは、秒針モータ１１のロータ１１ｃよりも磁界Ｊの向きＭに関して上流側の位置となる。
【００２７】
＜ムーブメントの作用＞
以上のように構成された実施形態の電波修正時計１及びムーブメント３によれば、４つのステップモータのうち、最も保磁力が弱い秒針モータ１１に対して、図６に示すように、磁気的に最も弱い方向の磁界Ｊが作用すると、この秒針モータ１１を電波修正時計１の厚さ方向の上下から覆う耐磁板２１，２２には、図４，５に示すように磁界Ｊが作用する。
【００２８】
このとき、耐磁板２１の、秒針モータ１１よりも磁界Ｊの向きの上流側に形成された狭窄部２１ｅでは、磁束の通る経路の面積（断面積）が小さいため部分的な磁気飽和が誘発される。これにより、磁界Ｊの磁束は、磁気飽和が起こった狭窄部２１ｅを通らない経路に分散された分布となる。
この結果、磁気飽和が起こった狭窄部２１ｅの下流側である秒針モータ１１に対応した耐磁板２１の部分では、磁束密度が、狭窄部２１ｅが無いものに比べて小さくなる。
【００２９】
したがって、本実施形態の電波修正時計１及びムーブメント３によれば、耐磁板２１の外形のサイズ（大きさ、厚さ）を大きくすることなく、秒針モータ１１に対応した耐磁板２１の部分での、秒針モータ１１に対する耐磁板２１の耐磁性能が、狭窄部２１ｅの無い耐磁板よりも向上させることができる。
また、本実施形態の電波修正時計１及びムーブメント３は、秒針モータ１１の他方の面側にも別の耐磁板２２が配置されていて、この耐磁板２２も耐磁板２１の狭窄部２１ｅと同様の狭窄部２２ｅが形成されている。したがって、秒針モータ１１に対する耐磁板２２の耐磁性能が、さらに向上する。
【００３０】
本実施形態の電波修正時計１及びムーブメント３によれば、狭窄部２１ｅ，２２ｅが、秒針モータ１１が磁気的に最も弱い方向の磁界Ｊに対応して、耐磁板２１，２２に形成されているため、秒針モータ１１が磁気的に最も弱い方向に対する耐磁性能が向上して、耐磁性能全体の底上げが図られる。
しかし、本発明における狭窄部はこの実施形態のものに限定されない。すなわち、実施形態における狭窄部２１ｅ，２２ｅが、秒針モータ１１に対して磁気的に最も弱い方向の磁界Ｊに対応するものではなく、電波修正時計１の耐磁板２１，２２に、秒針モータ１１よりも上流側のいずれかの部分に形成されているものであってもよい。この場合、その狭窄部２１ｅ，２２ｅに対応した向きの磁界に関して、秒針モータ１１に対する耐磁板２１，２２の耐磁性能を向上させることができる。
【００３１】
また、本実施形態の電波修正時計１及びムーブメント３は、耐磁板２１に、秒針モータ１１のコイル１１ａとの干渉を避けるための逃げ孔２１ａが形成されているため、秒針モータ１１のコイル１１ａの周囲に、逃げ孔２１ａと外形形状との間の部分の幅が、磁界Ｊの方向に対して他の部分の幅よりも狭い狭窄部２１ｃが形成される。
そして、このような狭窄部２１ｃは、作用する磁界Ｊにより磁気飽和が起こり易い。コイル１１ａの周囲で磁気飽和が起こると、このコイル１１ａの周囲で耐磁板２１が有効に作用しなくなり、秒針モータ１１のロータ１１ｃに悪影響を与えるおそれがある。
【００３２】
しかし、本実施形態における耐磁板２１には、磁界Ｊの向きＭに関して、秒針モータ１１よりも上流側であるとともに、コイル１１ａの周囲の狭窄部２１ｃよりも上流側に、狭窄部２１ｅが形成されている。これにより、耐磁板２１に磁界Ｊが作用したとき、狭窄部２１ｅで磁気飽和が起こることで、下流側の狭窄部２１ｃでは磁束密度が下がる。
したがって、本実施形態の電波修正時計１及びムーブメント３によれば、下流側の狭窄部２１ｃでは、狭窄部２１ｅが無いものに比べて、磁気飽和が起こりにくくなる。これにより、コイル１１ａの周囲で耐磁板２１が有効に機能し、秒針モータ１１のロータ１１ｃの周囲に狭窄部２１ｃが存在することによる悪影響が生じるのを防止することができる。
【００３３】
なお、本発明に係る電子時計及びムーブメントは、この形態に限定されない。すなわち、本発明に係る電子時計及びムーブメントは、モータのコイルの周囲に別の狭窄部が形成されていないものであってもよく、この場合でも、モータよりも磁界の向きに関して上流側に狭窄部が形成されていることにより、狭窄部での磁気飽和を誘発させることができる。
これにより、耐磁板に作用している磁界の磁束は、狭窄部で磁気飽和が誘発されたとき、その狭窄部を避けて他の経路に分散され、分散された磁束がモータの位置に対応した耐磁板の部分を通過する。この結果、耐磁板のサイズを大きくすることなく、モータの位置での耐磁板の耐磁性能を向上させることができる。
【００３４】
＜構成の変形例＞
本実施形態における狭窄部２１ｅは、外周縁から内側に切れ込まれた切欠き２１ｄによって、幅の狭い部分として形成されたものであるが、本発明における狭窄部は、この実施形態の態様に限定されるものではない。すなわち、例えば、外形形状の輪郭は変化させずに、内側の部分に孔を形成する等して除去することで、その除去した部分から外形形状の輪郭までの幅を狭くした狭窄部であってもよい。
【００３５】
ただし、切欠き２１ｄによって狭窄部２１ｅを形成したものでは、切欠き２１ｄが無い場合の外形形状（図４において二点鎖線で示した形状）よりも輪郭が内側に絞られた形状（図４において実線で示した形状）となる。外部の磁界Ｊにより耐磁板２１の近傍の磁束は、耐磁板２１の外形形状が仮に二点鎖線の形状であれば耐磁板２１の内部に引き寄せられ、実線の形状であれば耐磁板２１の内部に引き寄せられないことがある。
【００３６】
つまり、切欠き２１ｄによって狭窄部２１ｅを形成した耐磁板２１は、内側の部分を除去して形成した狭窄部を有する耐磁板に比べて、耐磁板２１の内部に引き寄せられる磁束の絶対量を少なくする。したがって、切欠き２１ｄによって狭窄部２１ｅを形成した耐磁板２１は、内側の部分を除去して形成した狭窄部を有する耐磁板に比べて、狭窄部２１ｃ，２１ｅにおける磁気飽和を起こし難い。
【００３７】
また、本発明における狭窄部は、秒針モータ１１に対して磁気的に最も弱い磁界Ｊの向きＭに沿った磁束が通過する断面の面積が小さく絞られた形状の部分であればよい。したがって、本発明における狭窄部は、幅方向の寸法を小さくする（幅を狭くする）ことで断面積を小さくした部分の他、耐磁板の厚さ方向の寸法を小さくする（厚さを薄くする）ことで断面積を小さくした部分であってもよい。また、本発明における狭窄部は、幅を狭くするとともに厚さを薄くして、断面積を小さく形成した部分であってもよい。
【００３８】
図７は、図４に示した耐磁板２１に対して、切欠き２１ｄが無い二点鎖線で示した外形形状で、かつ、耐磁板２１における切欠き２１ｄに対応する部分の厚さが、他の部分よりも薄く形成された耐磁板１２１を示す図であり、（Ａ）は図４相当の平面図、（Ｂ）は（Ａ）におけるＡ−Ａ線に沿った断面を示す断面図である。
図７に示すように、この耐磁板１２１は、秒針モータ１１に対して磁気的に最も弱い磁界Ｊの向きＭに関して、他の部分の厚さｔ１よりも薄い厚さｔ２の狭窄部１２１ｅとなる。
【００３９】
このように、厚さを薄くすることで、磁界Ｊの向きに沿った磁束の通過する耐磁板１２１の断面積を他の部分の断面積よりも小さくした狭窄部１２１ｅは、狭窄部２１ｅと同様に、他の部分よりも磁気飽和を誘発させ易くなる。
狭窄部１２１ｅで磁気飽和が誘発されることにより、磁束は狭窄部１２１ｅを避けて他の経路に分散され、分散された磁束が秒針モータ１１の位置の耐磁板を通過する。この結果、耐磁板１２１のサイズを大きくすることなく、秒針モータ１１の位置での耐磁板１２１の耐磁性能が相対的に向上する。
【００４０】
なお、耐磁板の幅を狭くするとともに厚さを薄くすることで、磁束が通過する耐磁板の部分の断面積を一層小さくすることができる。
また、部分的に厚さを薄くして狭窄部を形成することで、厚さが薄くなった部分に関しては、厚さ方向の空間を増やすことができる。
一方、幅を狭くして狭窄部を形成することで、耐磁板の面の広がる方向に関して、空間を増やすことができる。
【００４１】
本実施形態の電波修正時計１及びムーブメント３は、秒針モータ１１を挟んで上下にそれぞれ耐磁板２１，２２が形成されたものであるが、本発明に係る電子時計及びムーブメントは、この実施形態に限定されるものではない。したがって、本発明に係る電子時計及びムーブメントは、モータを挟む上下のうちいずれかに一方にのみ耐磁板が設けられ、その耐磁板が、モータのコイルの周囲に狭窄部が形成され、その狭窄部よりも磁界の上流側に別の狭窄部が形成されたものであればよい。
【００４２】
本実施形態の電波修正時計１及びムーブメント３は、耐磁板２１に、秒針モータ１１のコイル１１ａとの干渉を防止する逃げ孔２１ａが形成されていて、この逃げ孔２１ａと外形形状との間に、他の部分よりも幅の狭い別の狭窄部２１ｃが形成されている。
【００４３】
本実施形態の電波修正時計１及びムーブメント３は、耐磁板２１，２２の、秒針モータ１１について磁気的に最も弱い磁界Ｊの向きＭに沿った磁束が通過する部分に狭窄部２１ｅ，２２ｅを形成したものであるが、本発明に係る電子時計及びムーブメントは、この形態に限定されない。
【００４４】
本実施形態の電波修正時計１及びムーブメント３は、秒針モータ１１、デュアル分時針モータ１２、分時針モータ１５及び機能針モータ１６という４つのステップモータを備えているが、前述したように、この順序で、耐磁性能が要求される優先度が高い。
そして、本実施形態の電波修正時計１及びムーブメント３は、この４つのステップモータのうち耐磁性能が要求される優先度が最も高い秒針モータ１１に関してのみ、耐磁板２１，２２に、磁気的に最も弱い方向の磁界Ｊの向きＭの上流側に狭窄部２１ｅが形成されている。
【００４５】
しかし、本実施形態の電波修正時計１及びムーブメント３は、秒針モータ１１の他に、耐磁性能が要求される優先度（駆動頻度）が２番目である分時針モータ１５に関しても、耐磁板２１，２２に、磁気的に最も弱い方向の磁界の向きの上流側に、別の狭窄部が形成されていてもよい。
【００４６】
また、本実施形態の電波修正時計１及びムーブメント３は、秒針モータ１１及び分時針モータ１５の他に、耐磁性能が要求される優先度（駆動頻度）が３番目であるデュアル分時針モータ１２に関しても、耐磁板２１，２２に、磁気的に最も弱い方向の磁界の向きの上流側に、別の狭窄部が形成されていてもよい。
【００４７】
さらに、本実施形態の電波修正時計１及びムーブメント３は、秒針モータ１１、分時針モータ１５及びデュアル分時針モータ１２の他に、耐磁性能が要求される優先度（駆動頻度）が４番目である機能針モータ１６に関しても、耐磁板２１，２２に、磁気的に最も弱い方向の磁界の向きの上流側に、別の狭窄部が形成されていてもよい。
このように形成された電波修正時計１及びムーブメント３によれば、耐磁性能が要求される優先度が高いステップモータから順に対応して、耐磁板２１，２２に、狭窄部が形成されていることにより、耐磁性能が要求される優先度が高いステップモータの順に、耐磁性能を向上させることができる。
【００４８】
なお、４つのステップモータ（秒針モータ１１、デュアル分時針モータ１２、分時針モータ１５及び機能針モータ１６）は、磁気的に最も弱い方向が必ずしも同じではないため、ステップモータごとに対応する狭窄部は、向き等が同じになるとは限らない。
【符号の説明】
【００４９】
１        電波修正時計
２        ケース
３        ムーブメント
７        回路基板
１１      秒針モータ
１１ａ    コイル
１１ｃ    ロータ
２１，２２  耐磁板
２１ａ    逃げ孔
２１ｂ    孔
２１ｃ，２１ｅ  狭窄部
２１ｄ    切欠き
Ｊ        磁界
Ｌ，Ｍ    向き
【図１】
0006473632.tif 000002
【図２】
0006473632.tif 000003
【図３】
0006473632.tif 000004
【図４】
0006473632.tif 000005
【図５】
0006473632.tif 000006
【図６】
0006473632.tif 000007
【図７】
0006473632.tif 000008